(57)【要約】【課題】銅イオンを含んだ水滴が室外機底面を構成する異種金属製のベースに接触するのを防止できるようにする。【解決手段】空気調和機の室外機底面を構成する金属製のベース１を台板として、ベース上に圧縮機２および熱交換器３を搭載し、これらを接続する銅管４とバルブ類５によって冷媒回路を構成するとともに、熱交換器の内面側にファン２０を配置し、圧縮機および銅管が配置された機械室９と、ファンおよび熱交換器が配置された送風機室１０を、セパレーター１１により仕切り、更に機械室における少なくとも銅管下方のベース上に、樹脂製の皿状ドレン受け１３を設ける。【選択図】図１
2011179769.tif 000002
【特許請求の範囲】
【請求項１】
空気調和機の室外機底面を構成する金属製のベースを台板として、前記ベース上に圧縮機および熱交換器を搭載し、これらを接続する銅管とバルブ類によって冷媒回路を構成するとともに、前記熱交換器の内面側にファンを配置し、前記圧縮機および前記銅管が配置された機械室と、前記ファンおよび前記熱交換器が配置された送風機室を、セパレーターにより仕切った空気調和機の室外機であって、
前記機械室における少なくとも前記銅管下方の前記ベース上に、樹脂製の皿状ドレン受けを設けたことを特徴とする空気調和機の室外機。
【請求項２】
空気調和機の室外機底面を構成する金属製のベースを台板として、前記ベース上に圧縮機および熱交換器を搭載し、これらを接続する銅管とバルブ類によって冷媒回路を構成するとともに、前記熱交換器の内面側にファンを配置し、前記圧縮機および前記銅管が配置された機械室と、前記ファンおよび前記熱交換器が配置された送風機室を、セパレーターにより仕切った空気調和機の室外機であって、
前記機械室における少なくとも前記銅管下方の前記ベース上に、多孔質の発泡材を設けたことを特徴とする空気調和機の室外機。
【請求項３】
前記多孔質発泡材の下面側に、水密性の膜を設けたことを特徴とする請求項２記載の空気調和機の室外機。
【請求項４】
空気調和機の室外機底面を構成する金属製のベースを台板として、前記ベース上に圧縮機および熱交換器を搭載し、これらを接続する銅管とバルブ類によって冷媒回路を構成するとともに、前記熱交換器の内面側にファンを配置し、前記圧縮機および前記銅管が配置された機械室と、前記ファンおよび前記熱交換器が配置された送風機室を、セパレーターにより仕切った空気調和機の室外機であって、
前記圧縮機に接続されて冷媒回路を構成する前記銅管の内、運転中に低温の冷媒が流れる部分の銅管に筒状の断熱カバーを設けたことを特徴とする空気調和機の室外機。
【発明の詳細な説明】
【技術分野】
【０００１】
本発明は、空気調和機の室外機、特に銅イオンを含んだ水滴による周囲の異種金属材料の電気腐食を防止することのできる室外機に関する。
【背景技術】
【０００２】
従来より、冷媒配管の銅パイプに結露した水に含まれる銅イオンによって、周囲の異種金属（特に室外機底面を構成するベースの金属）が電気腐食を起こすことが知られている（例えば、特許文献１参照）。
【先行技術文献】
【特許文献】
【０００３】
【特許文献１】特開平６−３００３０３号公報（図１）
【発明の概要】
【発明が解決しようとする課題】
【０００４】
このように、従来の空気調和機の室外機は、運転中に低温の冷媒が流れる部分の銅管に空気中の水分が結露し滴下するため、銅イオンを含んだドレン水と室外機底面を構成する金属製ベースとの間で電気腐食を起こす虞れがあった。
【０００５】
本発明の技術的課題は、銅イオンを含んだ水滴が室外機底面を構成する異種金属製のベースに接触するのを防止できるようにすることにある。
【課題を解決するための手段】
【０００６】
本発明に係る空気調和機の室外機は、下記の構成からなるものである。すなわち、空気調和機の室外機底面を構成する金属製のベースを台板として、ベース上に圧縮機および熱交換器を搭載し、これらを接続する銅管とバルブ類によって冷媒回路を構成するとともに、熱交換器の内面側にファンを配置し、圧縮機および銅管が配置された機械室と、ファンおよび熱交換器が配置された送風機室を、セパレーターにより仕切った空気調和機の室外機であって、機械室における少なくとも銅管下方のベース上に、樹脂製の皿状ドレン受けを設けたものである。
【発明の効果】
【０００７】
本発明の空気調和機の室外機においては、機械室における少なくとも銅管下方の金属製のベース上に、樹脂製の皿状ドレン受けを設けたので、銅イオンを含んだ水滴を樹脂製の皿状ドレン受けにて受けることができ、銅イオンを含んだ水滴が金属製のベースに接触するのを防止することができる。このため、銅イオンを含んだドレン水と室外機底面を構成する金属製ベースとの間で電気腐食を起こすのを未然に防止することができる。
【図面の簡単な説明】
【０００８】
【図１】本発明の実施の形態１に係る空気調和機の室外機の構成を外郭を取り外した状態で示す斜視図である。
【図２】本発明の実施の形態１に係る空気調和機の室外機の機械室におけるベースと圧縮機と皿状ドレン受けの関係を示す斜視図である。
【図３】図２から圧縮機とセパレーターを取り除いた状態を示す斜視図である。
【図４】本発明の実施の形態１に係る空気調和機の室外機のベースと皿状ドレン受けの関係を示す分解斜視図である。
【図５】本発明の実施の形態２に係る空気調和機の室外機の要部である多孔質の発泡材を示す斜視図である。
【図６】本発明の実施の形態３に係る空気調和機の室外機の要部である下面側に水密性膜を有する多孔質発泡材を示す斜視図である。
【図７】本発明の実施の形態３に係る空気調和機の室外機の要部である下面側に水密性膜を有する多孔質発泡材を示す断面図である。
【図８】本発明の実施の形態４に係る空気調和機の室外機の要部である圧縮機と銅管と筒状断熱カバーの関係を示す斜視図である。
【発明を実施するための形態】
【０００９】
実施の形態１．
以下、図示実施の形態により本発明を説明する。
図１は本発明の実施の形態１に係る空気調和機の室外機の構成をケーシングを取り外した状態で示す斜視図、図２はその機械室におけるベースと圧縮機と皿状ドレン受けの関係を示す斜視図、図３は図２から圧縮機とセパレーターを取り除いた状態を示す斜視図、図４はそのベースと皿状ドレン受けの関係を示す分解斜視図である。
【００１０】
本実施の形態の空気調和機の室外機は、図１乃至図４のように空気調和機の室外機の本体の底面を構成する金属製のベース１を台板として、ベース１上に圧縮機２および熱交換器３を搭載し、これらを接続する銅管４とバルブ類５によって冷媒回路が構成されている。また、熱交換器３の内面側、つまり熱交換器３の前面となる側に、ファン２０が配置されているとともに、圧縮機２および銅管４が配置された機械室９と、ファン２０および熱交換器３が配置された送風機室１０とが、セパレーター１１により仕切られている。
【００１１】
ファン２０は、モーターサポート６によって支持されたファンモーター７及びプロペラファン８で構成されている。
【００１２】
セパレーター１１の上部には、空気調和機の運転を制御する制御基板等の電気部品を収納する電気品箱１２が配設されている。
【００１３】
また、機械室９における少なくとも銅管４の下方のベース１上、つまり機械室９におけるベース１上で圧縮機２が設置された部分を除く部位に、樹脂製の皿状ドレン受け１３が着脱自在に設けられている。
【００１４】
なお、ベース１と圧縮機２の間には、防振材であるコイルばね２１が３箇所設置されている。
【００１５】
本実施の形態の空気調和機の室外機において、圧縮機２は、図１のように高温高圧のガスを吐出する吐出配管１４と、低温低圧のガスを吸入する吸入配管１５を有しており、圧縮機２に接続された冷媒回路を構成する銅管４は、内部を流れる冷媒の温度によって当該銅管の表面も高温または低温になるため、運転中に低温の冷媒が流れる部分の銅管４には、空気中の水分が結露し、滴下する。
【００１６】
この滴下水には銅イオンが含まれているため、異種金属に接触した場合に電気腐食が発生するが、本実施の形態のように、銅管４の下方に樹脂製の皿状ドレン受け１３を設けることで、金属製のベース１に直接銅イオンを含んだ水が落下することを防止することができ、電気腐食による金属製のベース１の腐食を未然に防止することができる。
【００１７】
実施の形態２．
図５は本発明の実施の形態２における空気調和機の室外機の要部である多孔質の発泡材を示す斜視図であり、それ以外の室外機本体部の構成は前述の実施の形態１のものと同様である。したがって、説明にあたっては前述の図１乃至図４を参照するものとする。
【００１８】
本実施の形態の空気調和機の室外機は、前述の実施の形態１のものにおける樹脂製の皿状ドレン受け１３の代わりに多孔質の発泡材１６を用い、この多孔質の発泡材１６を、機械室９における少なくとも銅管４の下方のベース１上、つまり機械室９におけるベース１上で圧縮機２が設置された部分を除く部位に着脱自在に設けたものである。
【００１９】
本実施の形態の空気調和機の室外機において、運転中に低温の冷媒が流れる部分の銅管４には、空気中の水分が結露し、滴下する。
【００２０】
この滴下水には銅イオンが含まれているため、異種金属に接触した場合に電気腐食が発生するが、本実施の形態のように、銅管４の下方に多孔質の発泡材１６を設け、この多孔質の発泡材１６に銅管４から滴下する水分を吸収・保水させることで、金属製のベース１に直接銅イオンを含んだ水が落下することを防止することができ、電気腐食による金属製のベース１の腐食を未然に防止することができる。
【００２１】
なお、ドレン水の水量は多くないため、保水した水分は自然蒸発により乾燥し、運転を繰り返した場合でも継続して保水することが可能である。
【００２２】
実施の形態３．
図６は本発明の実施の形態３における空気調和機の室外機の要部である下面側に水密性膜を有する多孔質発泡材を示す斜視図、図７はその下面側に水密性膜を有する多孔質発泡材の断面図であり、それ以外の室外機本体部の構成は前述の実施の形態１のものと同様である。したがって、ここでも説明にあたっては前述の図１乃至図４を参照するものとする。
【００２３】
本実施の形態の空気調和機の室外機は、前述の実施の形態１のものにおける樹脂製の皿状ドレン受け１３の代わりに下面側に水密性の膜１７を有する多孔質の発泡材１６を用い、この下面側に水密性の膜１７を有する多孔質の発泡材１６を、機械室９における少なくとも銅管４の下方のベース１上、つまり機械室９におけるベース１上で圧縮機２が設置された部分を除く部位に着脱自在に設けたものである。
【００２４】
本実施の形態の空気調和機の室外機において、運転中に低温の冷媒が流れる部分の銅管４には、空気中の水分が結露し、滴下する。
【００２５】
この滴下水には銅イオンが含まれているため、異種金属に接触した場合に電気腐食が発生するが、本実施の形態のように、銅管４の下方に、下面側に水密性の膜１７を有する多孔質の発泡材１６を設け、この下面側に水密性の膜１７を有する多孔質の発泡材１６に銅管４から滴下する水分を吸収・保水させることで、金属製のベース１に直接銅イオンを含んだ水が落下することを防止することができ、電気腐食による金属製のベース１の腐食を未然に防止することができる。
【００２６】
なお、ドレン水の水量は多くないが、滴下する銅管４の位置に集中してドレンが滴下するため、部分的に発泡材の下面まで水分が到達しベース１に接触する可能性がある。しかし、本実施の形態のように、下面側に水密性の膜１７を設けることによって、それよりも下方に漏れることなく、周囲の発泡材全体でドレンを吸収・保水することができる。
【００２７】
実施の形態４．
図８は本発明の実施の形態４における空気調和機の室外機の要部である圧縮機と銅管と筒状断熱カバーの関係を示す斜視図であり、それ以外の構成は前述の実施の形態１のものと同様である。したがって、ここでも説明にあたっては前述の図１を参照するものとする。
【００２８】
本実施の形態の空気調和機の室外機は、圧縮機２に接続されて冷媒回路を構成する銅管の内、運転中に低温の冷媒が流れる部分の銅管４に筒状の可撓性断熱カバー１８を設けたものであり、それ以外の構成は前述の実施の形態１のものと同様である。
【００２９】
本実施の形態の空気調和機の室外機においては、運転中に低温になり、結露する銅管４の表面を筒状の可撓性断熱カバー１８によって覆い、断熱するようにしているので、結露が防止され、金属製のベース１に銅イオンを含んだ水が落下することを未然に防止することができる。このため、電気腐食による金属製のベース１の腐食を防止することができる。
【符号の説明】
【００３０】
１  ベース、２  圧縮機、３  熱交換器、４  銅管、５  バルブ類、６  モーターサポート、７  ファンモーター、８  プロペラファン、９  機械室、１０  送風機室、１１  セパレーター、１２  電気品箱、１３  皿状ドレン受け、１４  吐出配管、１５  吸入配管、１６  多孔質の発泡材、１７  水密性の膜、１８  筒状の可撓性断熱カバー（断熱カバー）、２０  ファン、２１  コイルばね。
【図１】
2011179769.tif 000003
【図２】
2011179769.tif 000004
【図３】
2011179769.tif 000005
【図４】
2011179769.tif 000006
【図５】
2011179769.tif 000007
【図６】
2011179769.tif 000008
【図７】
2011179769.tif 000009
【図８】
2011179769.tif 000010